(57)【要約】【課題】経路案内に伴って出力する音声広告の効果を増大させる。【解決手段】広告したい場所と、現在位置又は進行方向と、の関係に応じて異なった広告を切り替えて出力することにより、行程において通り過ぎてしまった広告したい場所に対しても電子商取引への誘導という広告効果が得られるので、経路案内に伴って出力する音声広告の効果を増大させることができる。広告したい場所を通過したかの判断は、広告したい場所から経路に垂線を下ろした位置を通過したか、広告したい場所への経路と現行経路との分岐点を通過したか、などによる。また、これら垂線を下ろした位置や分岐点を過ぎても、広告したい場所へまだ戻れる所定の許容範囲内なら通過前と判断してもよい。【選択図】図６
2012002553.tif 000002
【特許請求の範囲】
【請求項１】
目的地への経路案内と共に音声広告を出力する経路案内装置において、
広告したい場所と対応付けて、その広告したい場所に誘導するための第一の広告と、その広告したい場所に関する電子商取引サービスに誘導するための第二の広告と、を記憶する広告記憶手段と、
前記広告したい場所と、現在位置及び進行方向と、の相対的な関係に基づいて、広告したい場所を経路案内装置が経路上で通過したか否かに応じ、通過前は前記第一の広告、通過後は前記第二の広告を、出力する広告として切り替える広告切替手段と、
切り替えられた前記第一の広告又は前記第二の広告を出力する広告出力手段と、
を有することを特徴とする経路案内装置。
【請求項２】
前記第一の広告に対して所定の指示操作が入力された場合に、現在位置から前記広告したい場所への経路探索を行う経路探索手段を有することを特徴とする請求項１記載の経路案内装置。
【請求項３】
前記第二の広告に対して所定の指示操作が入力された場合に、その第二の広告に関する前記電子商取引サービスに誘導するサービス誘導手段を有することを特徴とする請求項１又は２記載の経路案内装置。
【請求項４】
現在位置を中心として中心角及び半径で定義する扇形の判定領域内に広告したい場所が含まれる場合に、その広告したい場所に対応する広告を前記切り替えの対象として選択する広告選択手段をさらに有し、
この広告選択手段は、前記判定領域を定義する前記中心角及び半径の少なくとも一方を走行速度に応じて変化させることを特徴とする請求項１から３のいずれか一項に記載の経路案内装置。
【請求項５】
前記広告切替手段は、
進行方向側に向かって開いた判定領域に広告したい場所が含まれるときは、広告したい場所を経路案内装置が通過前として前記第一の広告に切り替え、
進行方向の反対側に向かって開いた判定領域に広告したい場所が含まれるときは、広告したい場所を経路案内装置が通過後として前記第二の広告に切り替える
ことを特徴とする請求項１から４のいずれか一項に記載の経路案内装置。
【請求項６】
コンピュータが、目的地への経路案内と共に音声広告を出力する経路案内方法において、
コンピュータが、広告したい場所と対応付けて、その広告したい場所に誘導するための第一の広告と、その広告したい場所に関する電子商取引サービスに誘導するための第二の広告と、を所定の広告記憶手段に記憶するステップと、
コンピュータが、前記広告したい場所と、現在位置及び進行方向と、の相対的な関係に基づいて、広告したい場所を経路案内装置が経路上で通過したか否かに応じ、通過前は前記第一の広告、通過後は前記第二の広告を、出力する広告として切り替える広告切替ステップと、
コンピュータが、切り替えられた前記第一の広告又は前記第二の広告を出力する広告出力ステップと、
を含むことを特徴とする経路案内方法。
【請求項７】
コンピュータを制御することにより、目的地への経路案内と共に音声広告を出力させる経路案内プログラムにおいて、
コンピュータに、広告したい場所と対応付けて、その広告したい場所に誘導するための第一の広告と、その広告したい場所に関する電子商取引サービスに誘導するための第二の広告と、を所定の広告記憶手段に記憶させ、
コンピュータに、前記広告したい場所と、現在位置及び進行方向と、の相対的な関係に基づいて、広告したい場所を経路案内装置が経路上で通過したか否かに応じ、通過前は前記第一の広告、通過後は前記第二の広告を、出力する広告として切り替えさせ、
コンピュータに、切り替えられた前記第一の広告又は前記第二の広告を出力させる
ことを特徴とする経路案内プログラム。
【発明の詳細な説明】
【技術分野】
【０００１】
本発明は、経路案内に伴う広告出力に関する。
【背景技術】
【０００２】
近年、情報技術の発達や電子的広告の普及に伴い、カーナビゲーション装置（「カーナビ」と呼ぶ）などの経路案内に伴って音声等の広告を出力する工夫がなされている。その一例として、カーナビにおいて、自車の現在位置に応じたショッピングスポットや観光スポットといった広告したい場所に関する広告を行程に即して音声等で出力し、広告に応じたユーザ操作を受けて広告したい場所への経路誘導などを行う例がある（例えば、特許文献１参照）。
【先行技術文献】
【特許文献】
【０００３】
【特許文献１】特開２００８−１３９１６９号公報
【発明の概要】
【発明が解決しようとする課題】
【０００４】
しかし、混雑状況やユーザの急ぎ具合等、行程の状況によってはその広告したい場所にユーザは立ち寄ることができず、出力した広告の効果が得られない場合も考えられる。
【０００５】
上記の課題に対し、本発明の目的は、経路案内に伴って出力する音声広告の効果を増大させることである。
【課題を解決するための手段】
【０００６】
上記の目的をふまえ、本発明の一態様（１）は、目的地への経路案内と共に音声広告を出力する経路案内装置において、広告したい場所と対応付けて、その広告したい場所に誘導するための第一の広告と、その広告したい場所に関する電子商取引サービスに誘導するための第二の広告と、を記憶する広告記憶手段と、前記広告したい場所と、現在位置及び進行方向と、の相対的な関係に基づいて、広告したい場所を経路案内装置が経路上で通過したか否かに応じ、通過前は前記第一の広告、通過後は前記第二の広告を、出力する広告として切り替える広告切替手段と、切り替えられた前記第一の広告又は前記第二の広告を出力する広告出力手段と、を有することを特徴とする。
【０００７】
本発明の他の態様（６）は、上記態様を方法のカテゴリで捉えたもので、コンピュータが、目的地への経路案内と共に音声広告を出力する経路案内方法において、コンピュータが、広告したい場所と対応付けて、その広告したい場所に誘導するための第一の広告と、その広告したい場所に関する電子商取引サービスに誘導するための第二の広告と、を所定の広告記憶手段に記憶するステップと、コンピュータが、前記広告したい場所と、現在位置及び進行方向と、の相対的な関係に基づいて、広告したい場所を経路案内装置が経路上で通過したか否かに応じ、通過前は前記第一の広告、通過後は前記第二の広告を、出力する広告として切り替える広告切替ステップと、コンピュータが、切り替えられた前記第一の広告又は前記第二の広告を出力する広告出力ステップと、を含むことを特徴とする。
【０００８】
本発明の他の態様（７）は、上記態様をコンピュータ・プログラムのカテゴリで捉えたもので、コンピュータを制御することにより、目的地への経路案内と共に音声広告を出力させる経路案内プログラムにおいて、コンピュータに、広告したい場所と対応付けて、その広告したい場所に誘導するための第一の広告と、その広告したい場所に関する電子商取引サービスに誘導するための第二の広告と、を所定の広告記憶手段に記憶させ、コンピュータに、前記広告したい場所と、現在位置及び進行方向と、の相対的な関係に基づいて、広告したい場所を経路案内装置が経路上で通過したか否かに応じ、通過前は前記第一の広告、通過後は前記第二の広告を、出力する広告として切り替えさせ、コンピュータに、切り替えられた前記第一の広告又は前記第二の広告を出力させることを特徴とする。
【０００９】
このように、広告したい場所と、現在位置又は進行方向と、の関係に応じて異なった広告を切り替えて出力することにより、行程において通り過ぎてしまった広告したい場所に対しても電子商取引への誘導という広告効果が得られるので、経路案内に伴って出力する音声広告の効果を増大させることができる。
【００１０】
本発明の他の態様（２）は、上記いずれかの態様において、前記第一の広告に対して所定の指示操作が入力された場合に、現在位置から前記広告したい場所への経路探索を行う経路探索手段を有することを特徴とする。
【００１１】
このように、第一の広告への指示操作に応じて、現実空間の店舗など広告したい場所への経路探索（目的地変更、経由地の追加等）を行うことにより、広告したい場所が進行方向にある場合など、広告したい場所への顧客の円滑な誘導が実現できる。
【００１２】
本発明の他の態様（３）は、上記いずれかの態様において、前記第二の広告に対して所定の指示操作が入力された場合に、その第二の広告に関する前記電子商取引サービスに誘導するサービス誘導手段を有することを特徴とする。
【００１３】
このように、第二の広告への指示操作に応じて、その広告に係る電子商取引サービス（仮想空間での店舗）への誘導（例えば、ショッピングサイトへのアクセス又はウェブブラウザのブックマーク登録など）を行うことにより、広告したい場所を通過済などの行程状況であっても、電子商取引サービスの利用が見込まれるので、経路案内に伴う音声広告の効果が増大する。
【００１４】
本発明の他の態様（４）は、上記いずれかの態様において、現在位置を中心として中心角及び半径で定義する扇形の判定領域内に広告したい場所が含まれる場合に、その広告したい場所に対応する広告を前記切り替えの対象として選択する広告選択手段をさらに有し、この広告選択手段は、前記判定領域を定義する前記中心角及び半径の少なくとも一方を走行速度に応じて変化させることを特徴とする。
【００１５】
このように、広告したい場所が、現在位置を要とする扇形の判定領域に含まれるかに基づいて出力する広告を選択する場合に、走行速度が速いと半径を大きくしたり中心角を狭くし、走行速度が遅いと半径を小さくしたり中心角を広くすることにより、ユーザの急いでいる程度に適合した位置に係る広告を表示することができる。
【００１６】
本発明の他の態様（５）は、上記いずれかの態様において、前記広告切替手段は、進行方向側に向かって開いた判定領域に広告したい場所が含まれるときは、広告したい場所を経路案内装置が通過前として前記第一の広告に切り替え、進行方向の反対側に向かって開いた判定領域に広告したい場所が含まれるときは、広告したい場所を経路案内装置が通過後として前記第二の広告に切り替えることを特徴とする。
【００１７】
このように、出力する広告の切り替えに用いる扇形の判定領域を、広告したい場所の通過前に対応して前向き、通過後に対応して後ろ向きに反転させることにより、同じ位置判定アルゴリズムで符号を反転させるなどの簡単な演算処理で、通過前と通過後における広告の切替に対応することができる。
【００１８】
なお、上記の各態様とは異なるカテゴリ（装置に対し方法、方法に対しプログラムなど）や、以下に説明するさらに具体的な各態様も本発明に含まれる。異なるカテゴリについては、「手段」を「ステップ」のように適宜読み替えるものとする。
【発明の効果】
【００１９】
本発明によれば、経路案内に伴って出力する音声広告の効果を増大させることができる。
【図面の簡単な説明】
【００２０】
【図１】本発明の実施形態の構成を示す機能ブロック図。
【図２】本発明の実施形態で用いる情報（データ）を例示する図。
【図３】本発明の実施形態における音声広告を示す概念図。
【図４】本発明の実施形態において、広告場所を通過したかの判断基準を例示する概念図。
【図５】本発明の実施形態において広告場所を通過したかの判断に用いる判定領域を速度に応じて例示する概念図。
【図６】本発明の実施形態において広告場所を通過したかの判断に用いる判定領域を現在位置から見た向きに応じて例示する概念図。
【図７】本発明の実施形態における処理手順の一例を示すフローチャート。
【発明を実施するための形態】
【００２１】
次に、本発明を実施するための形態（「実施形態」と呼ぶ）について、図に沿って説明する。なお、背景技術や課題などで既に述べた内容と共通の前提事項については適宜省略する。
【００２２】
〔１．構成〕
本実施形態は、目的地への経路案内と共に音声広告を出力する経路案内装置（以下「本装置」又は「カーナビ」と呼ぶ）に関する。図１の構成図に示す本装置１は、経路に応じた広告をサーバ３から受信して出力するもので、本装置１とサーバ３との通信は、携帯電話網やインターネットなどの通信ネットワークＮ経由で行う。
【００２３】
本装置１は、一般的なコンピュータの構成として少なくとも、ＣＰＵなどの演算制御部６と、外部記憶装置（ＨＤＤやＤＶＤドライブ等）や主メモリ等の記憶装置７と、通信ネットワークＮ（インターネット、携帯電話網、無線ＬＡＮなど）との通信手段８（ＬＡＮアダプタなど）と、を有する。加えて本装置１は、ＧＰＳ機構、ジャイロセンサ、車速パルスセンサ、ＶＩＣＳ受信部などナビゲーションに関する構成を備える。
【００２４】
そして、本装置１では、記憶装置７に予め記憶（インストール）した図示しない所定のコンピュータ・プログラムが演算制御部６を制御することで、図１に示す各手段などの要素（１１，１２，１３など）を実現する。これら各要素のうち、情報の記憶手段は、記憶装置７において各種のデータベース（「ＤＢ」とも表す）やファイル、配列等の変数、各種スタックやレジスタ、システム設定値など任意の形式で実現できる。
【００２５】
このような記憶手段のうち、広告記憶手段１１は、図２に例示するように、広告したい場所（以下「広告場所」と略称する）と対応付けて、その広告場所に誘導するための第一の広告（「現地広告」と略称することとする）と、その広告場所に関する電子商取引サービスに誘導するための第二の広告（「ＥＣ広告」と略称することとする）と、を記憶する手段である。なお、記憶手段以外の各手段は、以下のような情報処理の機能・作用を実現・実行する処理手段である。
【００２６】
〔２．基本的な作用効果〕
上記のような本装置１では、広告切替手段１２が、広告場所と、現在位置及び進行方向と、の相対的な関係に基づいて、広告場所を本装置１が経路上で通過したか否かに応じ、通過前は現地広告、通過後はＥＣ広告を、出力する広告として切り替え、切り替えられた現地広告又はＥＣ広告を広告出力手段１３がスピーカＳＰから出力する。
【００２７】
広告を出力する場所としては、広告場所（店舗など）から所定距離内で、進行方向などが出力される音声案内ポイントの間が時間的にある程度開いている区間などが考えられ、そのような区間は、例えば、現在の自車の平均速度やＶＩＣＳ渋滞情報などから推定する予想速度に基づいて判断する。例えば、図３の例では、出発地から目的地への経路Ｒの途中に渋滞区間Ｊがあり、その近くに広告場所であるコーヒー店の店舗Ｔがあるとする。
【００２８】
この場合、自車が店舗Ｔに接近してその通過前に、渋滞区間Ｊにおいて音声案内ポイントＰ間の空き時間が所定時間生じる場合、その空き時間に「休憩においしいコーヒーはいかがですか」のように現地広告を音声で出力する（図３）。一方、自車が店舗Ｔに接近して通過するまでは音声案内ポイントＰ間の空き時間とタイミングが合わず、広告の出力が通過後になると、「炒りたてコーヒーのお取り寄せなら・・・」のように（図２）ＥＣ広告を音声で出力する。
【００２９】
このように、広告場所と、現在位置又は進行方向と、の関係に応じて異なった広告を切り替えて出力することにより、行程において通り過ぎてしまった広告場所に対しても電子商取引への誘導という広告効果が得られるので、経路案内に伴って出力する音声広告の効果を増大させることができる。
【００３０】
なお、広告場所（広告したい場所）としては、広告を出力させたい場所でもよいし、広告を聞いて来てほしい店などの場所でもよい。また、広告場所を通過したかの判断基準を図４に例示する。この図において、太い実線は道路で、図の中央を上下方向に走る実線が経路Ｒである道路とする。
【００３１】
すなわち、広告場所（例えば店舗Ｔ）を通過したかの判断基準としては、広告場所から経路Ｒに垂線（図中、一点鎖線）を下ろした位置Ｐ４を自車位置Ａが通過したかでもよいし、広告場所への経路Ｒ２と現在の経路Ｒとの分岐点Ｐ５を自車位置Ａが通過したか、などが考えられる。また、それら垂線を下ろした位置Ｐ４や分岐点Ｐ５を過ぎても、広告場所へまだ戻れる所定の許容範囲Ｐ６内なら通過前と判断するなどの基準も考えられる。
【００３２】
〔３．判定領域を用いる処理の例〕
続いて、上記のように現地広告とＥＣ広告を切り替えたり、また、切替の対象とする広告場所を選択する処理の例などをより具体的に示す。以下の例では、広告データは、経路が設定される都度、サーバ３から提供されるものとし、設定された一つの経路に関し、図２に例示するように、複数の広告場所について広告データが存在する場合が有るものとする。
【００３３】
複数の広告場所がある場合でも、広告選択手段１４が、現在位置を中心として中心角及び半径で定義する扇形の判定領域内に広告場所が含まれる場合に、その広告場所に対応する広告を前記切り替えの対象として選択すれば、一度に一つの広告場所について広告を出力できるが、その際、本実施形態では、判定領域を定義する中心角及び半径の少なくとも一方を、ナビ機能部１０の検出する走行速度に応じて変化させる。
【００３４】
例えば、図５は、速度が速いときと遅いときの判定領域の相対比較例を示す概念図である。すなわち、この図５（１）に例示するように、走行速度が速いときの判定領域Ｆ１は、相対的に、半径が大きく中心角θ１は小さい。これに対し、図５（２）に例示するように、走行速度が遅いときの判定領域Ｆ２は、相対的に、半径が小さく中心角θ２は大きい。なお、速度に応じて半径又は中心角の一方のみを変化させてもよい。
【００３５】
このように、広告場所が、現在位置を要とする扇形の判定領域に含まれるかに基づいて出力する広告を選択する場合に、走行速度が速いと（図５（１））、半径を大きくすることで遠方の広告場所について早めに広告を出力してユーザに検討時間を与えたり、中心角を狭くすることで探索経路から離れすぎない広告場所の広告を表示する。一方、走行速度が遅いと（図５（２））、半径を小さくすることで近くの広告場所について重点的に広告を出力したり、中心角を広くすることで探索経路から多少離れた広告場所の広告も出力する。このように、ユーザの急いでいる程度に適合した位置に係る広告を表示することで、広告効果をより一層改善することができる。
【００３６】
また、扇形の判定領域の向きを反転させて用いることにより、広告場所について、現地広告とＥＣ広告を切り替えることもできる。この場合、広告切替手段１２は、図６（１）に例示するように、自社位置Ａからみて目的地方向である進行方向側に向かって開いた判定領域Ｆ３に広告場所（例えば蕎麦店Ｘ）の位置が含まれるときは、広告場所を経路案内装置が通過前として現地広告に切り替える。一方、広告切替手段１２は、図６（２）に例示するように、進行方向の反対側に向かって開いた判定領域に広告場所が含まれるときは、広告場所を経路案内装置が通過後としてＥＣ広告に切り替える。
【００３７】
このように、出力する広告の切り替えに用いる扇形の判定領域を、広告場所の通過前に対応して前向き（例えば図６（１））、通過後に対応して後ろ向き（例えば図６（２））に反転させることにより、同じ位置判定アルゴリズムで符号を反転させるなどの簡単な演算処理で、通過前と通過後における広告の切替に対応することができる。
【００３８】
〔４．フローチャートの例〕
上記のような広告場所の選択と、広告の切り替えは、処理を一体化してもよく、この場合の処理手順の一例を図７のフローチャートに示す。この図では、図１の本装置１（カーナビ）における処理を破線の左側、サーバ３での処理を破線の右側に示す。すなわち、本装置１では、経路探索手段であるナビ機能部１０が、予め用意された道路地図データ１８に基づき、操作部Ｋから与えられるユーザ操作に応じて、目的地への経路探索を行って経路と音声案内ポイントを決定するとともに（ステップＳ１１）、ＶＩＣＳからの状態情報や車速パルスに基づく走行速度を取得し（ステップＳ１２）、それらをサーバ３へ通知する（ステップＳ１１，Ｓ１２）。また、探索した経路表示を開始する（ステップＳ１３）。
【００３９】
サーバ３では、通知された音声案内ポイント間での所要時間を算出して（ステップＳ３１）、音声広告を挿入可能な区間（「広告挿入区間」や「挿入区間」と呼ぶこととする）を選出し（ステップＳ３２）、選出した挿入区間に適した音声広告を、予め用意した記憶手段から検索し（ステップＳ３３）、検索でヒットした音声広告に、対応する広告場所（実際には、その位置座標など）、ＥＣ広告用のＵＲＬなど関連情報を対応付けて挿入区間と共に本装置１に配信する（ステップＳ３４）。
【００４０】
本装置１では、関連情報と共に音声広告をダウンロードした後（ステップＳ１４）、ナビ機能部１０が表示部ＤやスピーカＳＰから経路地図や音声案内を出力する処理（図示省略）と並行し、広告選択手段１４が、ナビ機能部１０から新たに現在位置を取得するたびに（ステップＳ１５）、その現在位置が広告挿入区間か判断する（ステップＳ１６）。そして、広告挿入区間の場合（ステップＳ１６：「ＹＥＳ」）、広告選択手段１４及び広告切替手段１２は、現在位置の進行方向に広告場所があるか判断する（ステップＳ１７）。
【００４１】
この判断では、演算制御部６は、図６（１）に例示したように、現在位置を中心として中心角及び半径で定義する扇形で、かつ、進行方向側に向かって開いた判定領域Ｆ３に、広告場所（例えば蕎麦店Ｘ）が含まれる場合に、現在位置の進行方向に広告場所があると判断し（ステップＳ１７：「ＹＥＳ」）、その広告場所に対応する広告を前記切替の対象として選択すると同時に（広告選択手段１４の作用）、広告場所を本装置１が経路上で通過前として現地広告を出力する広告として切り替え（広告切替手段１２の作用）、その現地広告を広告出力手段１３が出力する（ステップＳ１８）。
【００４２】
また、現在位置の進行方向に広告場所があると判断しなかった場合（ステップＳ１７：「ＮＯ」）、演算制御部６は、図６（２）に例示したように、現在位置を中心として中心角及び半径で定義する扇形で、かつ、進行方向の反対側に向かって開いた判定領域Ｆ４に、広告場所（例えば蕎麦店Ｘ）が含まれる場合に、現在位置の後方に広告場所があると判断し（ステップＳ２０：「ＹＥＳ」）、その広告場所に対応する広告を前記切替の対象として選択すると同時に（広告選択手段１４の作用）、広告場所を本装置１が経路上で通過後としてＥＣ広告を出力する広告として切り替え（広告切替手段１２の作用）、そのＥＣ広告を広告出力手段１３が出力する（ステップＳ２１）。
【００４３】
〔５．広告の操作に対する処理の例〕
上記のように出力された現地広告又はＥＣ広告に対するユーザの指示操作（例えば、音声、タッチパネルによるユーザ指示など。以下同じ）に対し、次のような処理で応じる。まず、現地広告に対して（ステップＳ１８）所定の指示操作として経路探索の指示が入力された場合（ステップＳ１９）、経路探索手段であるナビ機能部１０が、現在位置から広告場所への経路探索を行う（ステップＳ１１）。この場合の経路探索の具体的態様は、目的地の変更、経由地の追加など自由である。
【００４４】
このように、第一の広告への指示操作に応じて、現実空間の店舗など広告場所への経路探索行うことにより、広告場所が進行方向にある場合など、広告場所への顧客の円滑な誘導が実現できる。
【００４５】
また、ＥＣ広告に対して（ステップＳ２１）発注指示など所定の指示操作が入力された場合（ステップＳ２２）、サービス誘導手段１５が、指示操作の内容に応じたショッピングサイトの発注手続ページへのアクセス又はウェブブラウザのブックマーク登録（ステップＳ２３）などの処理によって、そのＥＣ広告に関する電子商取引サービスに誘導する。
【００４６】
このように、第二の広告への指示操作に応じて、その広告に係る電子商取引サービスへの誘導を行うことにより、広告場所を通過済などの行程状況であっても、仮想空間での店舗といえる電子商取引サービスへの利用が見込まれるので、経路案内に伴う音声広告の効果が増大する。
【００４７】
〔６．他の実施形態〕
なお、上記各実施形態は例示に過ぎず、本発明は、以下に例示するものやそれ以外の他の実施態様も含むものである。例えば、上記実施形態では、経路探索をカーナビ側、音声広告データの提供をサーバ側で行う例を示したが、本発明はスタンドアロンの装置としても、また、例えば、経路探索の処理もサーバ側に依存するいわゆるオフボードの経路案内装置としても実現できる。
【００４８】
また、手段などの各要素は、コンピュータの演算制御部に限らず、ワイヤードロジック等に基づく電子回路など他の情報処理機構で実現してもよい。また、各構成図、データや画像、画面などの図、フローチャートの図などは例示に過ぎず、各要素の有無、その順序や具体的内容などは適宜変更可能である。例えば、本発明の装置は、複数の装置を組み合わせて構成してもよく、また、車載固定型に限らず、ポータブルナビゲーション装置や、携帯電話端末装置にダウンロードなどで組み込んで用いるソフトウェアなどの形で実現することもできる。
【符号の説明】
【００４９】
１  経路案内装置（本装置、カーナビ）
３  サーバ
６  演算制御部
７  記憶装置
８  通信手段
１０  ナビ機能部
１１  広告記憶手段
１２  広告切替手段
１３  広告出力手段
１４  広告選択手段
１５  サービス誘導手段
Ａ  自車位置
Ｄ  表示部
Ｊ  渋滞区間
Ｋ  操作部
Ｎ  通信ネットワーク
Ｐ  音声案内ポイント
Ｐ４  位置
Ｐ５  分岐点
Ｐ６  許容範囲
Ｒ，Ｒ２  経路
Ｆ１〜Ｆ４  判定領域
ＳＰ  スピーカ
Ｔ  店舗
Ｘ  蕎麦店
【図１】
2012002553.tif 000003
【図２】
2012002553.tif 000004
【図３】
2012002553.tif 000005
【図４】
2012002553.tif 000006
【図５】
2012002553.tif 000007
【図６】
2012002553.tif 000008
【図７】
2012002553.tif 000009